(57)【要約】【課題】携帯電話機の通話終了ボタンの押し忘れを防止する。【解決手段】本体１０３で通話（送受信）を開始すると、通話開始判定部１０４は通話中であることを判定し、タイマ１０２を作動させて通話時間を計測させる。通話終了制御部１０５は、タイマの計測時間を観測し、入力部１０１において設定された時間経過時に、本体に対して通話を切断する。【選択図】        図１
2004297539.tif 000002
【特許請求の範囲】
【請求項１】
通話開始時から通話を終了させるときまでの時間を設定する時間設定手段と、
通話の開始を判定する通話開始判定手段と、
前記通話開始判定手段により通話開始と判定されてからの通話時間をカウントする通話時間カウント手段と、
前記通話時間カウント手段によりカウントされた通話時間が前記時間設定手段により設定された時間になったときに通話を終了させる通話終了制御手段とを、
有する携帯電話機。
【請求項２】
通話中に無音状態が継続したときに通話を終了させるときまでの時間を設定する時間設定手段と、
通話中の無音状態を判定する無音状態判定手段と、
前記無音状態判定手段により無音状態と判定されてからの無音時間をカウントする無音時間判定手段と、
前記無音時間判定手段によりカウントされた無音時間が前記時間設定手段により設定された時間になったときに通話を終了させる通話終了制御手段とを、
有する携帯電話機。
【請求項３】
前記通話終了制御手段が通話を終了させる前に通話終了予告を通知する手段をさらに備えた請求項１又は２に記載の携帯電話機。
【請求項４】
話者に前記通話終了予告を通知した後に話者が通話を継続させる手段をさらに備えた請求項３に記載の携帯電話機。
【発明の詳細な説明】
【０００１】
【発明の属する技術分野】
本発明は、通話終了ボタンの押し忘れによる未使用通話状態を防止する携帯電話機に関する。
【０００２】
【従来の技術】
近年、携帯電話機が大幅に普及し、高齢者の方にとっても、遠方にいる家族の声が聞けるということで、かなりの普及率になっている。しかしながら、携帯電話機は一般的に機種毎に操作方法が異なり、マニュアルも複雑であり、また、小型化も伴って特に高齢者などにとって非常に操作しづらいものになってきている。
【０００３】
その中で電話機の機能ボタンの押下を忘れることによるユーザに対する不都合として、電源のＯＮ／ＯＦＦ管理が挙げられる。しかしながら、電源ＯＮ／ＯＦＦの切替を手動で行うと、深夜や圏外など、電源をＯＮにしておく必要がない場合に、利用者が電源を切り忘れてしまい、電池を無駄に消耗してしまう問題や、逆に電源をＯＦＦにしていたために重要な用件の受信漏れが生じるといった問題がある。そこで、この問題を解決する従来例として、下記の特許文献１にはユーザ設定時刻に電源がＯＮであればＯＦＦに、ＯＦＦであればＯＮに自動的に設定する方法が開示されている。
【０００４】
【特許文献１】
特開平１０−２９０２７３号公報
【０００５】
【発明が解決しようとする課題】
ところで、携帯電話機の通話方法の基本としては電話番号を入力した後に、通話開始ボタンを押すことにより、通話を開始でき、終了時にはユーザが通話終了ボタンを押すことが一般的である。そこで、携帯電話機の他の機能ボタンの押し忘れによる不都合として、通話終了時のＯＦＦボタンの押し忘れが別に挙げられる。
【０００６】
従来の固定電話では、受話器を電話機本体に置く行為により、自然に通話終了が可能であったが、携帯電話機においては、ユーザが意識的に終了しないと終了できないため、高齢者同士が使用した際、互いに終了ボタンの押下を忘れ、膨大な通話料金が後で請求されるなどの問題が発生している。
【０００７】
本発明は上記従来例の問題点に鑑み、通話終了ボタンの押し忘れを防止することができる携帯電話機を提供することを目的とする。
【０００８】
【課題を解決するための手段】
本発明の請求項１に係る携帯電話機は、通話開始時から通話を終了させるときまでの時間を設定する時間設定手段と、
通話の開始を判定する通話開始判定手段と、
前記通話開始判定手段により通話開始と判定されてからの通話時間をカウントする通話時間カウント手段と、
前記通話時間カウント手段によりカウントされた通話時間が前記時間設定手段により設定された時間になったときに通話を終了させる通話終了制御手段とを、
有する構成とした。
上記構成により、通話開始後にあらかじめ設定した時間経過後に自動的に通話を切断できるようにしたことにより、話者同士の通話切断忘れによる不使用通話を防ぐことができる。
【０００９】
本発明の請求項２に係る携帯電話機は、通話中に無音状態が継続したときに通話を終了させるときまでの時間を設定する時間設定手段と、
通話中の無音状態を判定する無音状態判定手段と、
前記無音状態判定手段により無音状態と判定されてからの無音時間をカウントする無音時間判定手段と、
前記無音時間判定手段によりカウントされた無音時間が前記時間設定手段により設定された時間になったときに通話を終了させる通話終了制御手段とを、
有する構成とした。
上記構成により、通話開始後にあらかじめ設定した時間中、無音状態が継続した場合に自動的に通話を切断できるようにしたことにより、通常の会話中に切断されることなく、話者同士の通話切断忘れによる不使用通話を防ぐことができる。
【００１０】
請求項３に係る発明は、請求項１又は２に記載の携帯電話機において、前記通話終了制御手段が通話を終了させる前に通話終了予告を通知する手段をさらに備えた構成とした。
上記構成により、通話開始後にあらかじめ設定した時間経過後や、通話開始後にあらかじめ設定した時間中、無音状態が継続した場合に、自動的に通話を切断できるようにしたことに加え、切断前に使用者に通話終了予告が通知されるようにしたことにより、話者同士の通話切断忘れによる不使用通話を防止できることに加え、故障による切断なのか、時間管理による切断なのかを話者が判断することができる。
【００１１】
請求項４に係る発明は、請求項３に記載の携帯電話機において、話者に前記通話終了予告を通知した後に話者が通話を継続させる手段をさらに備えた構成とした。
上記構成により、話者同士の通話切断忘れによる不使用通話を防止できることに加え、話者自身に通話継続の希望がある場合には通話継続を可能とすることができる。
【００１２】
【発明の実施の形態】
＜実施の形態１＞
以下、図面を参照して本発明の実施の形態について説明する。図１は本発明に係る携帯電話機の実施の形態１の主要構成を示す機能ブロック図である。
【００１３】
図１に示す実施の形態１に係る携帯電話機（本装置）は、通話開始時から通話を終了させるときまでの時間を設定する入力部１０１と、通話時間を計測するタイマ１０２と、通話に伴う送受信などを行う本体１０３と、通話開始を判定する通話開始判定部１０４と、通話を切断する通話終了制御部１０５から構成されている。
【００１４】
次に、各構成部分について図１を用いて具体的に説明する。入力部１０１は、通話開始後から強制通話終了までの時間設定値を入力するものである。本体１０３で通話（送受信）を開始すると、通話開始判定部１０４は通話中であることを判定し、タイマ１０２を作動させて通話時間を計測させる。通話終了制御部１０５は、タイマ１０２の計測時間を観測し、入力部１０１において設定された時間経過時に、本体１０３に対して通話を切断する。これにより、通話開始後にあらかじめ入力した設定時間で通話が切断されるため、話者同士の通話切断忘れによる不使用通話状態を防止できる。
【００１５】
＜実施の形態２＞
図２に示す実施の形態２に係る携帯電話機（本装置）は、通話開始時から通話を終了させるときまでの時間を入力する入力部２０１と、通話時間を計測するタイマ２０２と、通話に伴う送受信などを行う本体２０３と、通話開始を判定する通話開始判定部２０４と、通話を切断する通話終了制御部２０５と、通話終了予告通知部２０６から構成されている。
【００１６】
次に、各構成部分について図２を用いて具体的に説明する。入力部２０１は、通話開始後から強制通話終了までの時間設定値を入力するものである。本体２０３で通話（送受信）を開始すると、通話開始判定部２０４は通話中であることを判定し、タイマ２０２を作動させて通話時間を計測させる。通話終了制御部２０５は、タイマ２０２の計測時間を観測し、入力部２０１において設定された時間経過時に対してある一定時間前に話者に通話を強制終了することを予告する予告信号を通話終了予告通知部２０６に送信するとともに、入力部２０１において設定された時間経過時に本体２０３に対して通話を切断する。予告信号を発する時間設定は固定であったり、可変であってもよい。可変の場合は事前にユーザが登録できるようにすることが考えられる。
【００１７】
通話終了予告通知部２０６は、強制的に通話を切断する前に話者に通話が終了することを本体２０３に通知し、通話終了予告通知された本体２０３は話者に対して、例えば音声による通知、ＬＥＤなどのランプを点灯させる通知、電話機の振動発生機能を利用した通知、液晶モニタに表示することによる通知などを行う。
【００１８】
これにより、通話開始後にあらかじめ入力した設定時間で通話が切断されるため、話者同士の通話切断忘れによる、不使用通話を防止できることに加え、通話切断を事前に話者に伝えるため、話者が通話継続中であった場合に、突然強制的に切れてしまうといったことを防止することができる。
【００１９】
＜実施の形態３＞
図３に示す実施の形態３に係る携帯電話機（本装置）は、無音時間を入力する入力部３０１と、無音時間を計測するタイマ３０２と、通話に伴う送受信などを行う本体３０３と、通話開始を判定する通話開始判定部３０４と、通話を切断する通話終了制御部３０５、通話音声信号が無音であることを判定する無音状態判定部３０６から構成されている。
【００２０】
次に、各構成部分について図３を用いて具体的に説明する。入力部３０１は、通話開始後からの無音通話時間の時間設定値を入力するものである。本体３０３で通話（送受信）を開始すると、通話開始判定部３０４は通話中であることを判定する。そして、通話中に無音状態判定部３０６により、無音状態であることが判定された後、タイマ３０２を作動させて通話中の連続無音時間を計測させる。このとき、無音時間にはタイマ３０２が作動するが、会話が再開するとタイマ３０２のカウント値がリセットされる。通話終了制御部３０５は、タイマ３０２の計測時間を観測し、入力部３０１において設定された時間経過時に本体３０３に対して通話を切断する。
【００２１】
これにより、通話開始後に無音時間を測定し、あらかじめ入力した設定時間で通話が切断されるため、通常の会話中に切断されることなく、話者同士の通話切断忘れによる、不使用通話を防止できる。
【００２２】
＜実施の形態４＞
図４に示す実施の形態４に係る携帯電話機（本装置）は、無音時間を入力する入力部４０１と、無音時間を計測するタイマ４０２と、通話に伴う送受信などを行う本体４０３と、通話開始を判定する通話開始判定部４０４と、通話を切断する通話終了制御部４０５と、通話音声信号が無音であることを判定する無音状態判定部４０６と、通話強制終了を事前に通知する通話終了予告通知部４０７から構成されている。
【００２３】
次に、各構成部分について図４を用いて具体的に説明する。入力部４０１は、通話開始後からの無音通話時間の時間設定値を入力するものである。本体４０３で通話（送受信）を開始すると、通話開始判定部４０４は通話中であることを判定する。そして、通話中に無音状態判定部４０６により、無音状態であることが判定された後、タイマ４０２を作動させ、通話中の連続無音時間を計測させる。このとき、無音時間にはタイマ４０２が作動するが、会話が再開するとタイマ４０２のカウント値がリセットされる。
【００２４】
通話終了制御部４０５は、タイマ４０２の計測時間を観測し、入力部４０１において設定された時間経過時に対してある一定時間前に話者に通話を強制終了することを予告する予告信号を通話終了予告通知部４０７に送信するとともに、入力部４０１において設定された時間経過時に本体４０３に対して通話を切断する。予告信号を発する時間設定は固定であったり、可変であってもよい。可変の場合は事前にユーザが登録できるようにすることが考えられる。
【００２５】
通話終了予告通知部４０７は、強制的に通話を切断する前に話者に通話が終了することを本体４０３に通知し、通話終了予告通知された本体４０３は話者に対して、例えば、音声による通知、ＬＥＤなどのランプを点灯させる通知、電話機の振動発生機能を利用した通知、液晶モニタに表示することによる通知などを行う。
【００２６】
これにより、通話開始後に連続無音時間を測定し、あらかじめ入力した設定時間で通話が切断されるため、通常の会話中に切断されることなく、話者同士の通話切断忘れによる、不使用通話を防止できることに加え、通話切断を事前に話者に伝えるため、話者が通話継続中であった場合に、突然強制的に切れてしまうといったことを防止することができる。
【００２７】
＜実施の形態５＞
図５に示す実施の形態５に係る携帯電話機（本装置）は、通話時間を入力する入力部５０１と、通話時間を計測するタイマ５０２と、通話に伴う送受信などを行う本体５０３と、通話開始を判定する通話開始判定部５０４と、通話を切断する通話終了制御部５０５と、通話終了予告通知部５０６と、予告通知時に通話の継続を制御する通話継続制御入力部５０７から構成されている。
【００２８】
次に、各構成部分について図５を用いて具体的に説明する。入力部５０１は、通話開始後の強制通話終了までの時間設定値を入力するものである。本体５０３で通話（送受信）を開始すると、通話開始判定部５０４は通話中であることを判定し、タイマ５０２を作動させ、通話時間を計測させる。
【００２９】
通話終了制御部５０５は、タイマ５０２の計測時間を観測し、入力部５０１において設定された時間経過時に対してある一定時間前に話者に通話を終了することを予告する予告信号を通話終了予告通知部５０６に送信し、入力部５０１において設定された時間経過時に、本体５０３に対し、通話を切断する。予告信号を発する時間設定は固定であったり、可変であってもよい。可変の場合は事前にユーザが登録できることが考えられる。
【００３０】
通話終了予告通知部５０６は、強制的に通話を切断する前に話者に通話が終了することを本体５０３に通知し、通話終了予告通知された本体５０３は話者に対して、例えば音声による通知、ＬＥＤなどのランプを点灯させる通知、電話機の振動発生機能を利用した通知、液晶モニタに表示することによる通知などを行う。
【００３１】
通話継続制御入力部５０７は前記通話終了予告通知部５０６の通知により、話者が引き続き通話を希望する場合は、ここで通話継続希望の意思を入力し、通話継続を再開することが可能になる。ここでタイマ５０２の計測時間がリセットされ、再計測し始める。
【００３２】
これにより、通話開始後にあらかじめ入力した設定時間で通話が切断されるため、話者同士の通話切断忘れによる、不使用通話を防止できることに加え、話者自身に通話継続の希望がある場合には通話継続を可能とすることができる。
【００３３】
＜実施の形態６＞
図６に示す実施の形態６に係る携帯電話機（本装置）は、無音時間を入力する入力部６０１と、無音時間を計測するタイマ６０２と、通話に伴う送受信などを行う本体６０３と、通話開始を判定する通話開始判定部６０４と、通話を切断する通話終了制御部６０５と、通話音声信号が無音であることを判定する無音状態判定部６０６と、通話終了を事前に通知する通話終了予告通知部６０７と、予告通知時に通話の継続を制御する通話継続制御入力部６０８から構成されている。
【００３４】
次に、各構成部分について図６を用いて具体的に説明する。入力部６０１は、通話開始後の無音通話時間の時間設定値を入力するものである。本体６０３で通話（送受信）を開始すると、通話開始判定部６０４は通話中であることを判定する。そして、通話中に無音状態判定部６０６により、無音状態であることが判定された後、タイマ６０２を作動させ、通話中の連続無音時間を計測させる。具体的には無音時間にはタイマ６０２が作動するが、会話が再開するとタイマ６０２のカウント値がリセットされる。通話終了制御部６０５は、タイマ６０２の計測時間を観測し、入力部６０１において設定された時間経過時に、本体６０３に対し、通話を切断する。
【００３５】
通話終了予告通知部６０７は、強制的に通話を切断する前に話者に通話が終了することを本体６０３に通知し、通話終了予告通知された本体６０３は話者に対して、例えば音声による通知、ＬＥＤなどのランプを点灯させる通知、電話機の振動発生機能を利用した通知、液晶モニタに表示することによる通知などを行う。
【００３６】
通話継続制御入力部６０８は通話終了予告通知部６０７の通知により、話者が引き続き通話を希望する場合は、ここで通話継続希望の意思を入力し、通話継続を再開することが可能になる。ここでタイマ６０２の計測時間がリセットされ、再計測し始める。
【００３７】
これにより、通話開始後に無音時間を測定し、あらかじめ入力した設定時間で通話が切断されるため、通常の会話中に切断されることなく、話者同士の通話切断忘れによる、不使用通話を防止できることに加え、話者自身に通話継続の希望がある場合には通話継続を可能とすることができる。
【００３８】
【発明の効果】
以上説明したように請求項１に記載の発明によれば、通話開始後にあらかじめ設定した時間経過後に自動的に通話を切断できるようにしたことにより、話者同士の通話切断忘れによる不使用通話を防ぐことができる。
請求項２に記載の発明によれば、通話開始後にあらかじめ設定した時間中、無音状態が継続した場合に自動的に通話を切断できるようにしたことにより、通常の会話中に切断されることなく、話者同士の通話切断忘れによる、不使用通話を防ぐことができる。
請求項３に記載の発明によれば、通話開始後にあらかじめ設定した時間経過後や、通話開始後にあらかじめ設定した時間中、無音状態が継続した場合に、自動的に通話を切断できるようにしたことに加え、切断前に使用者に通話終了予告が通知されるようにしたことにより、話者同士の通話切断忘れによる、不使用通話を防止できることに加え、故障による切断なのか、時間管理による切断なのかを話者が判断することができる。
請求項４に記載の発明によれば、話者同士の通話切断忘れによる、不使用通話を防止できることに加え、話者自身に通話継続の希望がある場合には通話継続を可能とすることができる。
【図面の簡単な説明】
【図１】本発明の実施の形態１における携帯電話機の主要構成を示す機能ブロック図
【図２】本発明の実施の形態２における携帯電話機の主要構成を示す機能ブロック図
【図３】本発明の実施の形態３における携帯電話機の主要構成を示す機能ブロック図
【図４】本発明の実施の形態４における携帯電話機の主要構成を示す機能ブロック図
【図５】本発明の実施の形態５における携帯電話機の主要構成を示す機能ブロック図
【図６】本発明の実施の形態６における携帯電話機の主要構成を示す機能ブロック図
【符号の説明】
１０１、２０１、３０１、４０１、５０１、６０１  入力部
１０２、２０２、３０２、４０２、５０２、６０２  タイマ
１０３、２０３、３０３、４０３、５０３、６０３  本体
１０４、２０４、３０４、４０４、５０４、６０４  通話開始判定部
１０５、２０５、３０５、４０５、５０５、６０５  通話終了制御部
２０６、４０７、５０６、６０７  通話終了予告通知部
３０６、４０６、６０６  無音状態判定部
５０７、６０８  通話継続制御入力部
【図１】
2004297539.tif 000003
【図２】
2004297539.tif 000004
【図３】
2004297539.tif 000005
【図４】
2004297539.tif 000006
【図５】
2004297539.tif 000007
【図６】
2004297539.tif 000008